【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
電源電圧を供給するように構成された電源ノードと、
前記電源電圧よりも少ない第１の中間電圧に第１の中間電圧ノードをチャージするように構成された電力レギュレータと、
前記電源ノードと前記第１の中間電圧ノードとの間に結合された第１のドライバと、前記第１のドライバは、第１の差動データ入力信号の第１のバイナリ状態に応じて第１の出力ノードから第１の電流を流し込むように構成され、前記第１のドライバは、前記第１の差動入力データ入力信号の前記第１のバイナリ状態に応じて前記第１の電流を第２の出力ノードから前記第１の中間電圧ノードへと放電するようにさらに構成され、前記第１のドライバは、前記第１の出力ノードと前記電源ノードとの間に結合された第１のスイッチを含み、前記第２の出力ノードと前記第１の中間電圧ノードとの間に結合された第２のスイッチを含み、また前記第１の出力ノードと前記第１のスイッチとの間に結合された第１の負荷レジスタを含み、前記第２の出力ノードと前記第２のスイッチとの間に結合された第２の負荷レジスタを含み、前記第１のスイッチおよび前記第２のスイッチは両方、前記第１の差動データ入力信号の前記第１のバイナリ状態に応じて閉じるように構成され、前記第１の差動データ入力信号の第２のバイナリ状態に応じて開くように構成される、
前記第１の中間電圧ノードと第２の中間電圧ノードとの間に結合された第２のドライバと、ここにおいて、前記第２のドライバは、第２の差動データ入力信号の第１のバイナリ状態に応じて、前記第１の中間電圧ノードから前記第１の電流を実質的に受け取ることと、第３の出力ノードから前記第１の電流を流し込むこととを行うように構成され、前記第２のドライバは、前記第２の差動データ入力信号の前記第１のバイナリ状態に応じて、前記第１の電流を第４の出力ノードから前記第２の中間電圧ノードへと放電するようにさらに構成される、
を備える、データ送信機。
【請求項２】
前記第１のスイッチは第１のＰＭＯＳトランジスタを備え、前記第２のスイッチは第２のＰＭＯＳトランジスタを備える、請求項１に記載のデータ送信機。
【請求項３】
前記第１のドライバは、前記第２の出力ノードと前記電源ノードとの間に結合された第３のスイッチ、および前記第１の出力ノードと前記第１の中間電圧ノードとの間に結合された第４のスイッチをさらに含み、前記第３のスイッチおよび前記第４のスイッチは両方、前記第１の差動データ入力信号の前記第２のバイナリ状態に応じて閉じることと、前記第１の差動データ入力信号の前記第１のバイナリ状態に応じて開くこととを行うように構成され、
前記第３のスイッチは第１のＰＭＯＳトランジスタを備え、前記第４のスイッチは第２のＰＭＯＳトランジスタを備える、請求項１に記載のデータ送信機。
【請求項４】
前記電力レギュレータはリニアドロップアウトレギュレータ（ＬＤＯ）を備える、請求項１に記載のデータ送信機。
【請求項５】
前記第２の中間電圧ノードはグラウンドを備える、請求項１に記載のデータ送信機。
【請求項６】
前記ＬＤＯは、前記第１の中間電圧を前記電源電圧の２分の１に等しく維持するために、フィードバック電圧に、および基準電圧に応答するように構成される、請求項４に記載のデータ送信機。
【請求項７】
前記ＬＤＯは、前記第１の中間電圧を出力するために前記フィードバック電圧と前記基準電圧との間の差を増幅するように構成された差動増幅器を備え、
前記基準電圧は前記第１の中間電圧に等しい、請求項６に記載のデータ送信機。
【請求項８】
前記電力レギュレータは、前記第１の中間電圧に前記第１の中間電圧ノードをチャージすることと、前記第１の中間電圧よりも少ない第２の中間電圧に前記第２の中間電圧ノードをチャージすることとを行うように構成された多出力リニアドロップアウトレギュレータ（ＬＤＯ）であり、前記データ送信機は、
前記第２の中間電圧ノードとグラウンドとの間に結合された第３のドライバ、前記第３のドライバは、第３の差動データ入力信号の第１のバイナリ状態に応じて、前記第２の中間電圧ノードから前記第１の電流を実質的に受け取ることと、第５の出力ノードから前記第１の電流を流し込むこととを行うように構成され、前記第３のドライバは、前記第３の差動データ入力信号の前記第１のバイナリ状態に応じて前記第１の電流を第６の出力ノードを通してグラウンドへと放電するようにさらに構成される、
をさらに備える、請求項１に記載のデータ送信機。
【請求項９】
前記第２のドライバは複数の送信ゲートを備え、前記第３のドライバは複数のＮＭＯＳトランジスタスイッチを備える、請求項８に記載のデータ送信機。
【請求項１０】
前記多出力ＬＤＯは、
第１のＮＭＯＳトランジスタのドレインにおいて前記第１の中間電圧を生成するために前記第１のＮＭＯＳトランジスタのゲートを駆動するように構成された第１の差動増幅器を含む第１の単出力ＬＤＯと、
第１のＰＭＯＳトランジスタのドレインにおいて前記第２の中間電圧を生成するために前記第１のＰＭＯＳトランジスタのゲートを駆動するように構成された第２の差動増幅器を含む第２の単出力ＬＤＯと、
前記第１のＮＭＯＳトランジスタの前記ソースおよび前記第１のＰＭＯＳトランジスタの前記ソースを、前記第２の中間電圧よりも大きく、かつ前記第１の中間電圧よりも少ない第３の中間電圧にチャージするように構成された第３の単出力ＬＤＯと
を備える、請求項８に記載のデータ送信機。
【請求項１１】
前記第３の単出力ＬＤＯは、前記第１のＰＭＯＳトランジスタの前記ソースおよび前記第１のＮＭＯＳトランジスタの前記ソースを前記電源電圧の２分の１にチャージするように構成される、請求項１０に記載のデータ送信機。
【請求項１２】
第１の中間電圧に第１の電圧ノードをチャージすることと、
第１の差動データ入力信号の第１のバイナリ状態に応じて、第１のドライバのための第１の出力ノードを電源電圧にチャージされた電源ノードに結合し、前記第１の出力ノードから第１の電流を流し込むことと、前記第１のドライバのための第２の出力ノードを前記第１の電圧ノードに結合し、前記第２の出力ノードからの前記第１の電流を前記第１の電圧ノードへと引き込むことと、ここにおいて、前記電源電圧は前記第１の中間電圧よりも大きい、
第２の差動データ入力信号の第１のバイナリ状態に応じて、第２のドライバのための第３の出力ノードを前記第１の電圧ノードに結合し、前記第３の出力ノードから第２の電流を流し込むことと、前記第２のドライバのための第４の出力ノードを第２の中間電圧にチャージされた第２の電圧ノードに結合し、前記第４の出力ノードからの前記第２の電流を前記第２の電圧ノードへと引き込むことと
を備え、
前記第１の中間電圧は前記第２の中間電圧よりも大きく、前記第２の電流は前記第１の電流に実質的に等しい、データ送信方法。
【請求項１３】
前記第１の差動データ入力信号の第２のバイナリ状態に応じて、前記第１のドライバのための前記第２の出力ノードを前記電源ノードに結合し、前記第２の出力ノードから前記第１の電流を流し込むことと、前記第１のドライバのための前記第１の出力ノードを前記第１の電圧ノードに結合し、前記第１の出力ノードからの前記第１の電流を前記第１の電圧ノードへと引き込むことと、
前記第２の差動データ入力信号の第２のバイナリ状態に応じて、前記第２のドライバのための前記第４の出力ノードを前記第１の電圧ノードに結合し、前記第４の出力ノードから前記第２の電流を流し込むことと、前記第２のドライバのための前記第３の出力ノードを前記第２の電圧ノードに結合し、前記第３の出力ノードからの前記第２の電流を前記第２の電圧ノードへと引き込むことと
をさらに備える、請求項１２に記載のデータ送信方法。
【請求項１４】
前記第１の中間電圧に前記第１の中間電圧ノードをチャージすることは、前記第１の中間電圧ノードを前記電源電圧の２分の１にチャージすることを備え、前記第２の中間電圧はグラウンド電圧である、請求項１２に記載のデータ送信方法。
【請求項１５】
前記第２の中間電圧に前記第２の中間電圧ノードをチャージすることと、ここにおいて、前記第２の中間電圧はグラウンドよりも大きい、
第３の差動データ入力信号の第１のバイナリ状態に応じて、第３のドライバのための第５の出力ノードを前記第２の中間電圧ノードに結合し、前記第５の出力ノードから第３の電流を流し込むことと、前記第３のドライバのための第６の出力ノードをグラウンドに結合し、前記第６の出力ノードからの前記第３の電流をグラウンドへと引き込むことと、ここにおいて、前記第３の電流は、前記第２の電流に実質的に等しい、
をさらに備え、
ここにおいて、前記第２の中間電圧に前記第２の中間電圧ノードをチャージすることは、前記第２の中間電圧ノードを前記電源電圧の３分の１にチャージすることを備え、
ここにおいて、前記第１の中間電圧に前記第１の中間電圧ノードをチャージすることは、前記第１の中間電圧ノードを前記電源電圧の３分の２にチャージすることを備える、請求項１２に記載のデータ送信方法。